(57)【要約】【課題】ラックの上面や側面に密閉部材の天井パネルや当該パネルを支持する固定具やレール部材を取り付けることなく、簡単なラックの配置構成により、効率的な冷却効果が期待可能なラックキャッピング装置を提供する。【解決手段】熱を発生する機器を収納する複数列のラック（例えばサーバラック）を対向し、かつラック同士を傾けて、ラック同士の天上側部分が接するように又はラック支持部材を介して近接するように配置し、ラック内の機器を冷却するための空調装置の冷気をフリーアクセス床下側から供給し、上部設置装置の天板が、下からの冷気を堰き止めることにより、内蔵機器が冷気の吸い込み効率を向上させるとともに、床下中央部の冷気を有効活用することを特徴とするものである。【選択図】図１
2014127023.tif 000002
【特許請求の範囲】
【請求項１】
複数の機器を収納するラックを有するデータセンターの空調設備であって、複数のラックが一方向に並設されてなる複数組のラック列（２列）を、その前面同士が対向するように配置し、かつ前記ラック内に内蔵する前記ラック内蔵機器をフリーアクセス床下側から天井側に向かって内側への突き出し量が大きくなるように配置し、当該ラック内蔵機器により前記ラック列間のエリアの空間をキャッピングするように構成し、当該空間に空調装置のサーバ冷却用空気（冷気）を前記フリーアクセス床下側から吸気し、上部設置装置の天板が、下からの冷気を堰き止めることにより、内蔵機器が冷気の吸い込み効率を向上させるとともに、床下中央部の冷気を有効活用することを特徴とするものである。
【請求項２】
複数の機器を収納するラックを有するデータセンターの空調設備であって、複数のラックが一方向に並設されてなる複数組のラック列を、その前面同士が対向して配置し、当該ラック列の天井側の上部に、当該上部側を塞ぐように天板を設け、かつラック内に設置される機器の先端部が、ラックの内側に突き出るように配置し、かつラックの突出し量が床下側から上側方向に向かって徐々に大きくなるように設置し、当該機器をもってラック間のエリアの空間をキャッピングするように構成し、当該空間に空調装置の機器冷却用空気（冷気）をフリーアクセス床下側から吸気し、上部設置装置の天板が、下からの冷気を堰き止めることにより、内蔵機器が冷気の吸い込み効率を向上させるとともに、床下中央部の冷気を有効活用することを特徴とするものである。
【請求項３】
複数の機器を収納するラックを有するデータセンターの空調設備であって、複数のラックが一方向に並設されてなる複数組のラック列を、その前面同士が対向して配置し、当該ラック列内に設置される各機器の上部に天板を設け、当該天板の一部がそれぞれラック列間の空間に突き出るように配置し、かつラック列の下側から上側方向に向かって徐々にその突出し量が大きくなるように設置し、当該天板をもってラック列間のエリアに空間をキャッピングし、当該空間に空調装置の機器冷却用空気（冷気）をフリーアクセス床下側から吸気し、上部設置装置の天板が、下からの冷気を堰き止めることにより、内蔵機器が冷気の吸い込み効率を向上させるとともに、床下中央部の冷気を有効活用することを特徴とするものである。
【発明の詳細な説明】
【技術分野】
【０００１】
本発明は、空調設備におけるラック列間のキャッピング装置に関する。例えば、空調環境にあるＩＴ機器、例えば複数のサーバを内蔵したサーバラック列間の空間のホットアイル又はコールドアイルをラック内蔵機器によりキャッピングするキャッピング装置に関する。
【背景技術】
【０００２】
サーバラック列間のホットアイル又はコールドアイルをキャッピングし、空調設備におけるサーバルームの冷却効率を上げるシステムが提案されている。
【０００３】
例えば、本技術分野の背景技術として、特開２００５−２６０１４８号公報（特許文献１）および特開２０１０−１２２７４７号公報などがある。
【０００４】
特許文献１には、「通路を挟んで両側に設置され前面から給気して上面または背面から熱を帯びた空気を排気する機器収容用ラックに設けられ、前記上面または背面から排出された空気の前記前面側への回り込みを阻止する回り込み防止装置において、前記通路を挟んで両側のラックの上面にそれぞれ設けられる固定具と、これら固定具に両端部を支持する遮蔽板とを備え、該遮蔽板は、前記両側の固定具の少なくともいずれか一方側で固定されることを特徴とする回り込み防止装置。」が記載されている（請求項１参照）。
【０００５】
また、特許文献２には、「複数のラックからなるラック列を対向配置し、該ラック列間に形成されるラック間通路に、天井部と入口扉部と該入口扉部対向する位置に設置された背面部を設けて形成されたラック間通路遮蔽構造。」が記載されている（請求項１参照）。
【先行技術文献】
【特許文献】
【０００６】
【特許文献１】特開２００５−２６０１４８号公報
【特許文献２】特開２０１０−１２２７４７号公報
【発明の開示】
【発明が解決しようとする課題】
【０００７】
前記特許文献１には、電算機室用空調システムにおいて、電算機等の機器を十分に冷却することができるとともに省エネルギーにも貢献する回り込み防止装置が記載されている。また、前記特許文献２には、サーバルーム・データセンターにおいて、サーバ自体の省電力化と共に、空調効率を改善できるラック間通路遮蔽構造が記載されている。
【０００８】
しかし、これらの装置や構造は、空調システムやサーバルーム・データセンターの遮蔽板や天井パネル（密閉部材）を支持する固定具やレール部材などキャッピング用の各種部材が必要であり、またこれらの部材を、ラックの上面や側面に取り付ける必要があり、その構築に時間を要すると共に構造が複雑となる課題があった。
【０００９】
そこで、本発明は、係る課題に鑑み、ラックの上面や側面に密閉部材の天井パネルや当該パネルを支持する固定具やレール部材などのキャッピング部材を必要とすることなく、ラック内蔵機器の配置構成を工夫することにより、省エネで効率的な冷却効果が期待可能なラックキャッピング装置を提供する。
【課題を解決するための手段】
【００１０】
上記課題を解決するために、本発明は、熱を発生する機器を収納する複数組のラック列（例えばサーバラック列）を対向し、かつラック内の機器がフリーアクセス床下側から天井側に向けて階段的にかつ内側に突き出るように配置し、上部設置装置の天板が、下からの冷気を堰き止めることにより、内蔵機器が冷気の吸い込み効率を向上させるとともに、床下中央部の冷気を有効活用することを特徴とするものである。
【００１１】
例えば、本発明のラックキャッピング装置は、複数の機器を収納するラックを有するデータセンターの空調設備であって、複数のラックが一方向に並設されてなる複数組のラック列（２列）を、その前面同士が対向するように配置し、前記ラック内に内蔵する前記機器をフリーアクセス床下側から天井側に向かって階段的に内側に突き出るように配置し、当該ラック内蔵機器により前記ラック列間のエリアの空間をキャッピングするように構成し、上部設置装置の天板が、下からの冷気を堰き止めることにより、内蔵機器が冷気の吸い込み効率を向上させるとともに、床下中央部の冷気を有効活用することを特徴とするものである。
【００１２】
ラックキャッピング装置は、さらに前記ラック列間に天板部材を設け、当該天板部材を転倒防止部材により固定する。
【００１３】
本発明のラックキャッピング装置は、複数の機器を収納するラックを有するデータセンターの空調設備であって、複数のラックが一方向に並設されてなる複数組のラック列を、その前面同士が対向して配置し、当該ラック列の天井側の上部に、当該上部側を塞ぐように天板を設け、かつラック内に設置される機器の先端部が、ラックの内側に突き出るように配置し、かつラックの下側から上側方向に向かって徐々にその突出し量が大きくなるように設置し、当該ラック内蔵機器により前記ラック列間のエリアの空間をキャッピングするように構成し、上部設置装置の天板が、下からの冷気を堰き止めることにより、内蔵機器が冷気の吸い込み効率を向上させるとともに、床下中央部の冷気を有効活用することを特徴とするものである。
【発明の効果】
【００１４】
本発明によれば、フリーアクセス床下からの冷気が、ラック内の機器内蔵ファンにより、効率よく、取り込め、機器の冷却効率を向上することができる。
【００１５】
また、ラック間中央部分の冷気を有効に利用することにより、空調機の効率を向上することができる。
上述した以外の課題、構成及び効果は、以下の実施形態の説明により明らかにされる。
【図面の簡単な説明】
【００１６】
【図１】本発明の一実施例を示すラックキャッピング装置の概略側面図である。
【図２】本発明のラックキャッピング装置の上面図である。
【図３】本発明の他の実施例を示すラックキャッピング装置の概略側面図である。
【発明を実施するための形態】
【００１７】
以下、実施例について図面を用いて説明する。
本実施例では、データセンターでの空調システムの冷却効率向上を図るために、２列のラック（内蔵機器、例えばＩＴ機器、サーバなどを内蔵するサーバラック）を向い合せにしたエリアの空間を遮蔽するシステムの例を説明する。また、本実施例では、説明を簡略化するため、２列の各サーバラック数を２つとして説明する。
【実施例１】
【００１８】
図１、図２は、本実施例の一実施例のラックキャッピング装置の構成図である。
ラック群は、２列に配置された一組のサーバラック列１１０、１２０を有する。各サーバラック列１１０、１２０は、複数のサーバラック１１１〜１１２、１２１〜１２２を有する。
【００１９】
複数のサーバラック１１１〜１１２、１２１〜１２２は、図示の如く、空調設備の空調室のフリーアクセス床架台２０の上に対向して配置する。
【００２０】
即ち、一方のサーバラック１１０列と他方のサーバラック１２０列は、対向するように２列に配置する。また、サーバラック列１１０のサーバラック１１１〜１１２の前面とサーバラック列１２０のサーバラック１２１〜１２２の前面がそれぞれ対向し、かつラック内のサーバ群６０、つまりサーバ６１１〜６１７、６２１〜６２７が床下側から天井側に向かって逆階段的に付き出すように配置する。換言すれば、サーバ６１１〜６１７、６２１〜６２７のラック列間エリアの空間への突き出し量は、床下側から天井側に向かって徐々に大きくなるようにする。サーバラック列間のエリアに三角状の空間１１を構成し、当該サーバラック１１１〜１１２、１２１〜１２２内に装着される複数のサーバ６１１〜６１７、６２１〜６２７をもって当該ラック列間のエリアの空間１１を、塞ぐように構成する。
【００２１】
サーバ６１１〜６１７、６２１〜６２７のラック列間エリアの空間への突き出しは、サーバを搭載しているサーバマウントレール６３７、６４７を図示の如く、突き出すようにすることをもって行う。
【００２２】
サーバ６１１〜６１７、６２１−６２７は、それぞれサーバマウントレール６３１〜６３７、６４１〜６４７を介在してラック１１１、１２１に装着する。各サーバは、サーバマウント６３７、６４７に固定ボルト６５７、６６７により固定する。
【００２３】
フリーアクセス床２０は、複数のグリル板からなる架台２１０を有する。フリーアクセス床２０には、空調装置３０からのサーバラック冷却用冷気（冷気）をサーバラック列間の空間１１に供給可能とする複数の貫通孔２２０を有する。
【００２４】
空調装置（空調機）３０の冷気は、フリーアクセス床２０下からサーバラック列で塞がれた空間１１に供給（吸気）され、自然対流の力により、矢印で示す如く、サーバラックの前面側（内側コールドアイル空間１１）から後面側（外側ホットアイル空間）に向けて流れ、サーバなどのＩＴ機器を冷却して排出（排気）される。
【００２５】
係る構成により、サーバラックのサーバ（内蔵機器）を階段的に設置することにより、サーバの冷却効率を向上することができる。
【００２６】
また、ＩＴ機器の消費電力の２０％程度を占めるファン電力の削減も合わせて行うようにスムーズに流れるようにする。
【００２７】
本実施例では、サーバラック列間の空間をより効率的に冷却可能とするため、ラック列間の天井部分を塞ぐ天板部材７０を設け、当該天板を複数のＬ字鋼ラック転倒防止部材５０によりサーバラックの上部に固定するようにしたものである。
【００２８】
斯様にサーバラックの内蔵機器を階段的に設置することにより、内蔵機器の冷却効率を向上することができる。また、天板を設けることにより、冷却効率をより向上することが可能である。
【実施例２】
【００２９】
図３は、本発明の他の実施例を示すが概略図である。実施例１では、サーバ群６０を突出すように配置するものであるが、本実施例では、サーバ群６０は、一般的にラック内に治まるように取付け、サーバ群のそれぞれの上面に大きさの異なる天板７１７、７２７を設け、当該天板を図示の如く、床下側から天井側に向かって逆階段的に配置し、ラック列１１０、１２０間に構成されるエリアの空間１１が三角状になるように構成したものである。
【００３０】
係る実施例によれば、床下側からの冷気が各天板に当たり、サーバラック内を通して外側に排気（排出）することが可能となり、また最上の天板７１７、７２７をラック列間の空間を塞ぐ天板を兼ねることが可能である。
【００３１】
なお、本発明は上述した実施例に限定されるものではなく、様々な変形例が含まれる。例えば、上述した実施例は本発明を分かりやすく説明するために詳細に説明したものであり、必ずしも説明した全ての構成を備えるものに限定されるものではない。また、ある実施例の構成の一部を他の実施例の構成に置き換えることが可能であり、また、ある実施例の構成に他の実施例の構成を加えることも可能である。また、各実施例の構成の一部について、他の構成の追加・削除・置換をすることが可能である。
【符号の説明】
【００３２】
１０  ラック群
１１０、１２０  サーバラック列
１１１、１２１  サーバラック
２０  フリーアクセス床
３０  空調装置（空調機）
５０  転倒防止部材（Ｌ字鋼）
６０  サーバ群（ＩＴ機器／サーバなどのラック内蔵機器）
６１１〜６１７、６２１〜６２７  サーバ
７０  天板部材
７１１〜７１７、７２１〜７２７  機器の天板
【図１】
2014127023.tif 000003
【図２】
2014127023.tif 000004
【図３】
2014127023.tif 000005